(57)【要約】【課題】デジタル放送受信機と別の外部制御機器から制御されデジタル放送の録画再生を行う録画再生装置及びそのシステムにおいて録画中のデジタル放送の番組タイトル等の番組情報が録画再生装置に記録されないという課題を解決する。【解決手段】デジタル放送受信機１とは別の外部制御機器である録画再生制御装置４が録画再生装置２の動作制御を行うシステムにおいて、録画再生装置2が録画中のデジタルストリームに含まれる番組情報を解析し取得する番組情報取得部２４と、得られた番組情報を録画再生制御装置４に伝達する番組情報伝達部２５を有することで、録画再生制御装置４が番組情報を録画再生装置２に記録できるようになる。【選択図】図１
2009060506.tif 000002
【特許請求の範囲】
【請求項１】
デジタルストリーム出力機とは別の録画再生制御装置から制御される録画再生装置であって、前記録画再生制御装置の制御により前記デジタルストリーム出力機からデジタルインターフェースを介して伝送されるデジタルストリームを録画する第１の記録手段と、前記デジタルストリーム中に含まれる番組情報を取得する番組情報取得手段と、前記取得した番組情報を前記録画再生制御装置に伝達する番組情報伝達手段と、前記録画再生制御装置からの指示によって前記取得された番組情報を格納する第２の記録手段とを備えた録画再生装置。
【請求項２】
デジタルストリーム出力機と、録画再生制御装置と、前記録画再生制御装置から制御される録画再生装置とを含むシステムであって、
前記録画再生装置は、前記録画再生制御装置からの録画命令により前記デジタルストリーム出力機からデジタルインターフェースを介して伝送されるデジタルストリームを記録する第１の記録手段と、前記デジタルストリーム中に含まれる番組情報を録画時に取得する番組情報取得手段と、前記番組情報を格納する第２の記録手段と、前記外部機器からの要求に応じて前記取得された番組情報を前記録画再生制御装置に伝達する番組情報伝達手段とを備え、
前記録画再生制御装置は、前記伝達した番組情報に基づき前記録画再生装置の前記第２の記録手段に対して前記番組情報の記録を行うように指示する、システム。
【請求項３】
前記録画再生制御装置は、録画開始時刻(Tc)、番組開始時刻(Ts)、番組長さ(Td)の情報から録画開始時刻から番組終了時刻までの長さの推定値TrをTr = Ts + Td - Tcの式により計算し、この推定録画時間Trを用いて、録画開始から推定録画時間Tr時間後に録画停止コマンドを録画再生装置に送信する、請求項２に記載のシステム。
【請求項４】
前記録画再生制御装置は、録画開始時刻(Tc)、番組開始時刻(Ts)、番組長さ(Td)の情報から録画開始時刻から番組終了時刻までの長さの推定値TrをTr = Ts + Td - Tcの式により計算し、この推定録画時間Trが一定値より小さい場合は、次の番組の録画を行うか否かのメッセージを表示させるように指示する、請求項２に記載のシステム。
【請求項５】
前記番組情報取得手段は、録画動作中に番組情報を複数回に分けて取得する、請求項２に記載のシステム。
【請求項６】
前記デジタルストリーム出力機は、デジタル放送受信機であることを特徴とする請求項２に記載のシステム。
【発明の詳細な説明】
【技術分野】
【０００１】
本発明は、デジタルインターフェースを介してデジタル放送を録画及び再生する録画再生装置およびシステムに関し、より詳しくは録画するデジタル放送のストリームに含まれる番組情報を取得し、取得した番組情報を外部機器に伝達することができる録画再生装置に関する。
【背景技術】
【０００２】
デジタル放送受信機で受信した番組をデジタルインターフェースを介して録画する場合の第一の従来例を図５に示す。
【０００３】
図５において１はデジタル放送受信機、２は録画再生装置、３１はそれらを接続するデジタルインターフェースである。ここでデジタルインターフェース３１は例えばIEEE1394インターフェースなどである。
【０００４】
次に各構成要素を詳しく説明する。１１はデジタル受信機１に入力されるデジタル放送波を受信し復調して全てのトランスポートストリーム（以下TSと記載する）を出力するデジタルチューナー、１２は全てのTSを入力とし選択された映像・音声ストリームや番組情報データを取り出すDEMUX部、13はDEMUX部12からの番組情報データをデコードしてそれぞれの番組情報（タイトル、番組開始日時等）を抽出し出力する番組情報デコード部、14はDEMUX部12からの映像・音声ストリームと番組情報デコード部13の出力からパーシャルTSを生成するデジタルストリーム生成・分離部、１５はデジタルインターフェース３１を介して接続された機器を制御するコントローラ、１６はユーザー操作により録画する番組を選択する番組選択部である。例えば、非特許文献１参照。
【０００５】
さらに２１はデジタルインターフェース３１を介して伝送されるデジタルストリームを受信するデジタルストリーム録再制御部、２２は受信したデジタルストリームを記録するデジタルストリーム記録部、２３は記録したデジタルストリームに対応する番組情報を書込保存するための番組情報格納部である。
【０００６】
以下図５を用いて番組を録画するときの動作について説明する。デジタル放送受信機１はデジタルチューナー１１で受信したデジタル放送波を復調しデジタル放送波に含まれる全てのTSを出力する。通常この全てのTSには複数の番組（それぞれがひとつあるいは複数のTSから成り立つ）のTSが含まれている。次にこの複数の番組が含まれた全てのTSはDEMUX１２に入力され、DEMUX部１２は番組選択部１６によってユーザーが選択した特定の番組に関わる映像ストリーム、音声ストリーム、番組情報データを抜き出して出力する。このうち番組情報データは番組情報デコード部13に入力され番組タイトル、番組開始日時等の番組情報がそれぞれ抽出される。この抽出したそれぞれの番組情報をDEMUX部１２からの映像、音声ストリームに加えひとつのデジタルストリーム（パーシャルTS）として生成するのがデジタルストリーム生成・分離部１４である。このようにして生成されたデジタルストリームはデジタルインターフェース３１を介して出力される。デジタルインターフェース３１がIEEE1394インターフェースの場合、デジタルストリームは同期転送（アイソクロノス転送）で伝送される。以下デジタルインターフェース３１がIEEE1394であるとして説明する。
【０００７】
またデジタル放送受信機１にはデジタルインターフェース３１を介して接続される機器（この例の場合は録画再生装置２）の動作を制御するコントローラ１５を備えている。例えばデジタル放送受信機１からのデジタルストリームを録画再生装置２に録画させるためにコントローラ部１５はIEEE1394で規格化されているAV/Cコマンドのひとつである録画開始等のコマンド（命令）を非同期転送（アシンクロナス転送）で転送する。これによって録画再生装置２は入力されるデジタルストリームを受信し内部のデジタルストリーム記録部２２への記録を開始する。さらにコントローラ１５は番組情報デコード部13で抽出した番組情報を録画再生装置２の番組情報格納部２３に書き込む。
【０００８】
次に記録された番組を再生するときの動作について説明する。まずコントローラ１５は録画再生装置２の番組情報格納部２３に記録されている番組情報をIEEE1394で規格化されているAV/Cコマンド等により取り出す。この情報を用いてユーザーに録画済番組一覧リストの表示等を行いユーザーに再生する番組を選択させる。一般にデジタルストリームに含まれている番組情報は映像・音声ストリームの中に分散して含まれておりデジタルストリームそのものから番組情報を再度取り出すには時間がかかる。また数多くの番組が記録されている場合、全てのデジタルストリームをひとつひとつ再生してみて番組情報を取り出す動作が必要になり、録画済番組一覧リストを表示するのに非常に時間がかかりとても実用的であるとは言えない。従ってあらかじめそれぞれの番組を録画する時にタイトルや番組開始日時等の情報を番組情報格納部２３に記録しておき、一覧リスト表示時にその情報を読み出すことで素早く一覧リストを表示することができるのである。このように表示された番組一覧リストからユーザーが再生したい番組を選択すると、コントローラ１５は対応するデジタルストリームを再生するコマンドを録画再生装置２にデジタルインターフェース３１を介してAV/Cコマンドにより送信する。これを受信したデジタルストリーム録再制御部２１はデジタルストリーム記録部２２から対応するデジタルストリームを読み出し、デジタルインターフェース３１を介してアイソクロノス転送でデジタル受信機１にデジタルストリームを伝送する。そしてデジタル受信機１は受信したデジタルストリームを映像・音声信号に変換して表示するのである。
【非特許文献１】デジタル放送用受信装置  標準規格  ARIB STD-B21 社団法人  電波産業会
【発明の開示】
【発明が解決しようとする課題】
【０００９】
しかしながら、以上のような従来の技術では次のような課題が発生する。
【００１０】
すなわち、この従来例のようにデジタル放送受信機１内に録画再生装置２を制御するコントローラ１５を有する場合は、デジタルストリームを送出しつつ放送波から取得した番組情報をコントローラ１５が録画再生装置２の番組情報格納部２３に書き込むことができるが、デジタル放送受信機１がそのようなコントローラ機能を有しない、あるいはコントローラ機能を有していても機能が不足している場合は接続した録画再生装置２を便利に利用することができない。
【００１１】
この課題を解決するためには図６に示すような構成が考えられる。図６において名称、番号が同じ構成要素については図５の説明と同じであるのでここでは新たな構成要素についてのみ説明する。
【００１２】
図６において、４は録画再生装置２の録画再生動作を制御する録画再生制御装置で、デジタルインターフェース３２（IEEE1394）を介して接続されている。ここで４１はコントローラで、AV/Cコマンドを発行して録画再生動作や番組情報の書込みなどを行うことができる。
【００１３】
以下図６を用いてその動作について説明する。図５と同じ番号の構成要素の動作は従来例の説明と同じである。異なるのは録画再生装置２の録画や再生等の動作制御をコントローラ４１が行うという点である。つまりデジタル放送受信機１で受信しデジタルインターフェース３１を介して伝送されているデジタルストリームを録画するようにコントローラ４１がコマンドにより指令することができる。
【００１４】
これはデジタル放送受信機１が接続されている録画再生装置２をコントロールする機能を有しない場合や、その機能を有していても機能が不足している場合等に有効な構成である。機能が不足している場合の例としては、例えばデジタル放送受信機１は番組放送予定の情報から番組表を画面上に表示して予約録画を行う機能（EPG予約録画機能）は有しているが、現在視聴中の番組について録画する機能がない場合や、あるいはあっても操作が煩雑になるような場合などである。上記のいずれの場合においても録画再生制御装置４により録画再生装置２の録画や再生等の操作が可能になるためユーザーの利便性が向上する構成である。
【００１５】
本構成例においては、録画開始コマンドはデジタルインターフェース３２を介してアシンクロナス転送でAV/Cコマンドとしてデジタルストリーム録再制御部２１に伝えられる。デジタルストリーム録再制御部２１は、この録画開始コマンドを受信すると、デジタル放送受信機１からデジタルインターフェース３１を介してアイソクロノス伝送で入ってきているデジタルストリームをデジタルストリーム記録部２２に記録する。つまり録画再生装置２は、デジタルストリームはデジタル放送受信機１から、録画開始等の動作制御コマンドは録画再生制御装置４からそれぞれ受け付けることで番組の録画動作を実現する。この録画再生制御装置４は具体的には例えばパーソナルコンピュータ（以下PCと記載する）等で構成することができる。
【００１６】
しかしながらこのような構成においては従来例よりも録画再生装置２を便利に活用できるという効果はあるものの、録画再生装置２が記録しているデジタルストリームの番組情報を録画再生制御装置４は取得できないため、録画再生装置２内の番組情報格納部２３に書き込むことができないという課題があった。つまりこの構成例では録画している番組のタイトル等の情報が番組情報格納部２３に書き込まれないため、再生時に録画済み番組一覧リストを表示してもタイトル等の情報が無くユーザーにとって非常に分かりにくい画面になってしまうという課題がある。
【００１７】
また、従来例においてはデジタル放送波に含まれる番組情報により番組終了時刻が分かり、番組終了時に自動的にコントローラ１５により録画を停止する等の動作制御が可能であったが、図６に示す構成例においては録画再生制御装置４は番組終了時刻が分からないため、録画中の番組が終了したときに自動的に録画を停止する等の動作制御ができないという課題もある。
【００１８】
本発明は、再生時の録画済番組一覧リスト表示でタイトル等の表示を可能とした録画再生装置およびシステムを提供することを目的とする。
【００１９】
また本発明は、得られた番組情報から番組終了時刻を求め番組終了時に自動的に録画を停止させる動作制御等を可能としたシステムを提供することを目的とする。
【課題を解決するための手段】
【００２０】
この課題を解決するために本発明の録画再生装置は、デジタルストリーム出力機とは別の録画再生制御装置から制御される録画再生装置であって、前記録画再生制御装置の制御により前記デジタルストリーム出力機からデジタルインターフェースを介して伝送されるデジタルストリームを録画する第１の記録手段と、前記デジタルストリーム中に含まれる番組情報を取得する番組情報取得手段と、前記取得した番組情報を前記録画再生制御装置に伝達する番組情報伝達手段と、前記録画再生制御装置からの指示によって前記取得された番組情報を格納する第２の記録手段とを備えた録画再生装置である。
【００２１】
また本発明のシステムは、デジタルストリーム出力機と、録画再生制御装置と、前記録画再生制御装置から制御される録画再生装置とを含むシステムであって、前記録画再生装置は、前記録画再生制御装置からの録画命令により前記デジタルストリーム出力機からデジタルインターフェースを介して伝送されるデジタルストリームを記録する第１の記録手段と、前記デジタルストリーム中に含まれる番組情報を録画時に取得する番組情報取得手段と、前記番組情報を格納する第２の記録手段と、前記外部機器からの要求に応じて前記取得された番組情報を前記録画再生制御装置に伝達する番組情報伝達手段とを備え、
前記録画再生制御装置は、前記伝達した番組情報に基づき前記録画再生装置の前記第２の記録手段に対して前記番組情報の記録を行うように指示する、システムである。
【００２２】
また前記録画再生制御装置は、録画開始時刻(Tc)、番組開始時刻(Ts)、番組長さ(Td)の情報から録画開始時刻から番組終了時刻までの長さの推定値TrをTr = Ts + Td - Tcの式により計算し、この推定録画時間Trを用いて、録画開始から推定録画時間Tr時間後に録画停止コマンドを録画再生装置に送信することで録画動作を停止させてもよい。
【００２３】
また前記録画再生制御装置は、録画開始時刻(Tc)、番組開始時刻(Ts)、番組長さ(Td)の情報から録画開始時刻から番組終了時刻までの長さの推定値TrをTr = Ts + Td - Tcの式により計算し、この推定録画時間Trが一定値より小さい場合は、次の番組の録画を行うか否かのメッセージを表示させるように指示してもよい。
【００２４】
また前記番組情報取得手段は、録画動作中に番組情報を複数回に分けて取得してもよい。
【発明の効果】
【００２５】
これによりデジタルストリーム出力機とは別の録画再生制御装置が録画再生装置を制御する場合であっても、番組情報を録画再生装置から受け取ることができるため、録画再生装置の番組情報格納部に番組情報を書き込めるようになり、これにより再生時の録画済番組一覧リスト表示でタイトル等の表示が可能となるためユーザーの利便性を著しく高めることが可能となる。
【００２６】
また、得られた番組情報から番組終了時刻を求め番組終了時に自動的に録画を停止させる動作制御が可能になり、ユーザーの利便性が向上するという効果も有する。
【発明を実施するための最良の形態】
【００２７】
（実施の形態１）
以下に本発明の実施の形態１について説明する。図１は本発明のシステム説明図である。
【００２８】
図１において１はデジタル放送受信機、２は録画再生装置、３１はそれらを接続するデジタルインターフェースである。また４は録画再生機器を制御する録画再生制御装置、３２は録画再生制御装置４と録画再生装置２を接続するデジタルインターフェースである。ここでデジタルインターフェース３１、３２は例えばIEEE1394インターフェースなどであり、以降の説明ではこれらのデジタルインターフェースがIEEE1394として説明するが、例えばDLNA（Digital Living Network Alliance）のプロトコルを用いたEthernet（登録商標）インターフェースなどのデジタルインターフェースを用いた場合でも同様である。
【００２９】
次に各構成要素を詳しく説明する。１１はデジタル受信機１に入力されるデジタル放送波を受信し復調して全てのTSを出力するデジタルチューナー、１２は全てのTSを入力とし選択された映像・音声ストリームや番組情報データを取り出すDEMUX部、１３はDEMUX部１２からの番組情報データをデコードしてそれぞれの番組情報（タイトル、番組開始日時等）を抽出し出力する番組情報デコード部、１４はDEMUX部１２からの映像・音声ストリームと番組情報デコード部１３の出力からパーシャルTSを生成し、また逆にパーシャルTSから映像・音声ストリームを取り出すデジタルストリーム生成・分離部、１６はユーザー操作により番組を選択する番組選択部、１７はデジタルストリーム生成・分離部１４によって取り出された映像・音声ストリームを復号化するストリームデコード部、１８はその復号化された映像情報を表示する表示部である。
【００３０】
次に、２１はデジタルインターフェース３１を介して伝送されるデジタルストリームを受信するデジタルストリーム録再制御部、２４は受信したデジタルストリームからストリーム中に含まれる番組情報を取得する番組情報取得部、２２は受信したデジタルストリームを記録するデジタルストリーム記録部、２３は記録したデジタルストリームに対応する番組情報を書込保存するための番組情報格納部である。また、２５は番組情報取得部２４で取得した番組情報をデジタルインターフェース３２を介して外部機器に伝達する番組情報伝達部である。
【００３１】
また４１は録画再生装置２の録画開始、停止などの動作制御を行ったり、録画中の番組に対応する番組情報を書き込んだりするコントローラである。
【００３２】
以下図１を用いてその動作について説明する。デジタル放送受信機１はデジタルチューナー１１で受信したデジタル放送波を復調しデジタル放送波に含まれる全てのTSを出力する。通常この全てのTSには複数の番組（それぞれがひとつあるいは複数のTSから成り立つ）のTSが含まれている。次にこの複数の番組が含まれた全てのTSはDEMUX１２に入力され、DEMUX部１２は番組選択部１６によってユーザーが選択した特定の番組に関わる映像ストリーム、音声ストリーム、番組情報データを抜き出して出力する。このうち番組情報データは番組情報デコード部１３に入力され番組タイトル、番組開始日時等の番組情報がそれぞれ抽出される。この抽出したそれぞれの番組情報をDEMUX部１２からの映像、音声ストリームに加えひとつのデジタルストリーム（パーシャルTS）として生成するのがデジタルストリーム生成・分離部１４である。このようにして生成されたデジタルストリームはデジタルインターフェース３１を介してIEEE1394の同期転送（アイソクロノス転送）で出力される。
【００３３】
このデジタル放送受信機１からのデジタルストリームを録画再生装置２に録画させるための動作制御は録画再生制御装置４のコントローラ４１が行う。コントローラ４１は録画再生装置２に対してIEEE1394のAV/Cコマンドにおける録画コマンドをデジタルインターフェース３２を介してアシンクロナス転送でデジタルストリーム録再制御部２１に伝える。デジタルストリーム録再制御部２１は、この録画開始コマンドを受信すると、デジタル放送受信機１からデジタルインターフェース３１を介してアイソクロノス伝送で入ってきているデジタルストリームの受信を開始する。そして、番組情報取得部２４がそのデジタルストリームを解析しその中に含まれる番組情報を取得して保存する。解析されたデジタルストリームはそのままデジタルストリーム記録部２２に伝送され記録される。つまり録画再生装置２は、デジタルストリームはデジタル放送受信機１から、録画開始等の動作制御コマンドは録画再生制御装置４からそれぞれ受け付けることで番組の録画動作を実現する。
【００３４】
この録画再生制御装置４は具体的には例えばパーソナルコンピュータ（以下PCと記載する）等で構成することができるがそれに限定されるものではない。
【００３５】
ここで、録画再生制御装置４はデジタル放送受信機１から録画再生装置２に伝送されるデジタルストリームを受信できないため、伝送されているデジタルストリームの番組情報を取得することはできない。デジタルストリームを受信できない理由のひとつとしては、デジタル放送受信機１からのデジタルストリームが著作権保護されているストリームの場合、IEEE1394で定められているDTCP（Digital Transmission Contents Protection）の仕組みに従って相互認証及び暗号鍵交換（AKE）を行う必要があるが、録画再生制御装置４がその機能を有しない場合などがある。一般にデジタル放送の場合、著作権保護されている番組がほとんどであり、また現状ではPCはAKE機能を有しない場合がほとんどである。また、デジタル放送受信機１では番組情報を内部に保有してデジタルストリーム中に含ませて出力しているが、現状ではその番組情報を外部機器に伝達する手段を持たないものがほとんどである。
【００３６】
そこで録画再生装置４のコントローラ４１は、録画再生装置２に対して受信中のデジタルストリームに含まれる番組情報について問合せを行うAV/Cコマンドを送信する。このAV/Cコマンドは標準規格（1394TA規定のAV/Cコマンド規格等）には規定されていないが、AV/Cコマンドフレームの仕組みに従ってベンダーユニークコマンドとして新たに規定すればよい。
【００３７】
録画再生装置２の番組情報伝達部２５は番組情報問合せのコマンドを受信すると、番組情報取得部２４に番組情報の解析状況を問い合わせ、解析が終了していなければ解析中という応答をコントローラ４１に返信し、終了していれば取得した番組情報をコントローラ４１に返信する。コントローラ４１は解析中の応答を受信した場合は、一定期間後（例えば10秒後等）に再度問合せを行い番組情報が取得できるまでこれを繰り返す。
【００３８】
このようにしてコントローラ４１が番組情報を取得した後、次にコントローラ４１はデジタルストリーム録再制御部２１を介して得られた番組情報をアシンクロナス転送により番組情報格納部２３に書き込む。
【００３９】
以上のようにしてデジタルストリームそのものの記録と対応する番組情報の両方を録画再生装置２に行わせることができる。これにより、録画再生装置２に記録された番組を再生するときに録画済み番組一覧リストを番組タイトル等と共に表示することが可能となる。
【００４０】
ここで番組情報取得部２４のデジタルストリームを解析し番組情報を取得する詳細なタイミングについて図２を用いて説明する。図２は録画再生装置２と録画再生制御装置４のコマンド・応答のやりとり及び録画再生装置２の動作内容について示したものである。図中の破線がコマンドと応答を示している。
【００４１】
図２においてまず録画再生制御装置４から録画開始コマンドを送信する。これに応じて録画再生装置２は録画動作を開始するが同時に番組情報取得部２４によりデジタルストリーム解析を開始し番組情報の取得を行う。通常デジタルストリームの中に含まれる番組情報は映像・音声データの間に複数の断片データ（パケット）に分けて埋め込まれているため番組情報に関連する全てのパケットを受信し番組情報を全て取得するのにある程度の時間がかかる。この時間は状況にもよるが具体的には30秒〜1分程度である。
【００４２】
その後録画再生制御装置４は録画開始コマンド送信後ある程度の時間間隔をあけて（上記1分程度であればよい）、番組情報の問合せを行う（図２における（１））。この時録画再生装置２はまだ番組情報をすべて取得しきっておらずこの時点では番組情報未取得（未完了）の応答を返信する。録画再生装置４はその後一定時間をあけてから再度番組情報取得のコマンドを送ることで番組情報の問合せのリトライを行う（図２の（２））。この時録画再生装置２は既に番組情報の取得を完了しているので、得られた番組情報を応答として録画再生制御装置４に返信する。このようにして録画再生制御装置４は録画再生装置２が録画中のデジタルストリームの番組情報を得ることができる。（１）から（２）までの時間間隔は番組情報取得にかかる時間（約30秒〜1分程度）を勘案して例えば10秒程度の間隔であれば良い。またこの実施例では2回目の問い合わせ（図２の（２））で番組情報が得られたが、場合によっては番組情報の取得に時間がかかりもう少しリトライを繰返し何度目かの問合せでようやく番組情報を取得できる場合もある。
【００４３】
このようにして得られた番組情報について録画再生制御装置４は必要な情報を録画再生装置２の番組情報格納部２３に書き込む。ここで番組情報格納部２３に格納された番組情報について図３を用いて説明する。録画された番組の実体（デジタルストリーム記録部に記録された映像・音声を含むデジタルストリーム）をオブジェクト(Object)と呼び、オブジェクトには録画時に番号がつけられる。これが図３におけるObject PositionとObject IDである。Object Positionは録画が古いものから順番に割り当てられていく番号で、例えばひとつの番組を消去するとそれ以降に録画された番組のObject Positionはひとつずつ繰り上がる。つまり消去した番組以降に録画された番組はその時点でObject Positionが割り振りなおされて変化することになる。一方でObject IDの方は録画時に割り当てられた未使用の番号でそのオブジェクトが消去するまで変化することはない。つまりObject IDの方はそのオブジェクト固有の番号であると言える。番組情報格納部２３にはこのObject Position毎にそれぞれObject ID、録画開始時刻、録画時間、番組開始時刻、番組長さ、番組タイトル、チャンネル情報、HD/SD（HD=高精細映像/SD=標準精細映像）の区別等を書き込む領域が確保されている。このうちObject Position、Object IDについては録画再生装置２が自ら録画開始時に書込み、録画時間については終了時に書込む。それ以外の番組情報について上述のように録画再生制御装置４が書き込むことになる。なお、録画された番組を再生するときには録画再生装置２は、このObject PositionあるいはObject IDを指定した再生コマンドを受信することで録画再生装置２内の内部管理テーブルの情報に従い実際の映像・音声データを含むデジタルストリームを再生することになる。
【００４４】
この録画再生制御装置４による番組情報の書込みは図２に示すように録画再生装置２が録画中に書き込んでも良いし、あるいは録画停止後に書き込んでも良い。但し録画停止後に書き込む場合は、停止後にすぐ次の番組録画が開始し得られた番組情報が消去されてしまうこともあるため注意が必要である。その為、本発明の録画再生装置２は取得した番組情報を応答で返すときに、その番組情報に対応する録画中番組のObject IDを含めて伝達するようにしている。
【００４５】
これにより録画再生制御装置４は録画開始時にObject IDを確認しておき、返却されたデータに含まれるObject IDと照合することによって現在録画中の番組に対応する番組情報かどうかを判断することが可能になる。前記のようにObject IDはそれぞれのオブジェクトに対して固有の番号であるので、もしもObject IDが異なっていれば録画コマンドにより録画した番組とは異なる番組の番組情報が得られたとしてそのデータを破棄することで間違った番組情報を書き込むことを防ぐことが可能になる。
【００４６】
また、上述したように得られた番組情報には録画開始時刻(Tc)、番組開始時刻(Ts)、番組長さ(Td)が含まれており、これらの情報からコントローラ４１は録画開始時刻から番組終了時刻までの長さ（つまり録画時間）の推定値Trを次の式により計算する。
【００４７】
Tr = Ts + Td - Tc
このようにして求めた推定録画時間Trを用いて、コントローラ４１は録画開始から推定録画時間Tr時間後に録画停止コマンドを録画再生装置２に送信することで、録画動作を停止することができる。つまり録画開始時に放送されている番組の終了に併せてユーザー操作によらず自動的に録画を停止することができる。図３における録画時間の情報は前記のように録画停止時に録画再生装置２自身によって書き込まれるので、録画再生制御装置４によって書き込む必要はない。
【００４８】
本実施の形態においてデジタル放送受信機１はコントローラ機能を有していてもいなくても良い。つまりデジタル放送受信機１が録画再生装置２のコントローラ機能を有している場合でもそれを用いずに録画再生制御装置４のコントローラ４１により録画再生装置２の録画動作制御を行う場合は、同様の動作内容、効果を有することは明らかである。
【００４９】
以上のように本発明の実施の形態１によれば、録画再生機器２の制御機能がないデジタル受信機１からのデジタルストリームを別の制御機器である録画再生制御装置４からの録画コマンドで録画した場合においても番組情報を正しく録画再生装置２に書き込むことができ、これによって再生時に録画済み番組一覧リストを表示してユーザーの利便性を高めることが可能となる。また録画している番組の終了に併せて自動的に録画動作を停止することも可能となるという利点を有する。
（実施の形態２）
次に本発明の実施の形態２について同じく図１を用いて説明する。本実施の形態においては、各構成要素は実施の形態１と同じであるが、番組情報取得部２４の動作と録画再生制御装置４、コントローラ４１の動作が異なる。以下相違点を中心に説明する。
【００５０】
図４は本実施の形態において番組情報取得部２４が番組情報を取得するタイミングを説明した図である。本実施の形態における番組情報取得部２４は録画中に番組が切替ると再度番組情報を取得する動作を行う点が異なる。また図中の破線はコマンドと応答を表す。
【００５１】
以下、図１、図４を用いて説明する。録画再生制御装置４は録画再生装置2に対して図１におけるデジタルインターフェース３２を介して録画開始コマンドを送信し、録画再生装置２は録画動作を開始する。その際入力されるデジタルストリームの解析を開始し番組情報の取得を行う。番組情報の取得にある程度の時間がかかるのは実施の形態１で説明した通りである。録画再生制御装置４は実施の形態１で説明した方法と同様に適切な時間（例えば1分）が経過した後に番組情報の問合せ（図４における（１））を行い、番組情報が取得されていない場合は、リトライ（図４における（２））を行って最終的に番組情報を得る。その際得られた録画開始時刻(Tc)、番組開始時刻(Ts)、番組長さ(Td)からコントローラ４１は録画開始時刻から番組終了時刻までの長さ（つまり録画時間）の推定値TrをTr = Ts + Td - Tcにより計算する。この推定録画時間Trが一定値より小さい場合は（例えば5分以下等の場合）、録画再生制御装置４１は表示部１８を用いてユーザーに次の番組の録画を行うか否かのメッセージとして、「現在録画中の番組は後３分終了します。引き続き次の番組を録画しますか？」等のメッセージを表示してユーザーが操作を選択する。ユーザーが録画停止を選択した場合は、録画再生制御装置４は得られた番組情報を録画再生装置２の番組情報格納部２３に書き込んで、Tr時間後に録画を停止する。ユーザーが録画継続を選択した場合は、引き続き次の番組も録画（図４における番組２録画）を継続する。
【００５２】
録画再生装置２は番組が切替ったため、再度デジタルストリームの解析を開始し番組情報の取得を行う。このことで番組情報取得手段２４は録画動作中に番組情報を複数回に分けて取得することを実現している。
【００５３】
番組が切替ったことは、例えば番組１録画の際に取得した情報（現在時刻、番組開始時刻、番組長さ）を用いて番組終了時刻を計算することで判断しても良いし、実際に定期的に（あるいは常時）デジタルストリームの解析を行いその中に含まれる番組情報関連パケットの一部をモニターする等の方法で判断してもよい。
【００５４】
録画再生制御装置４は番組２に切替った後、所定の時間の経過後番組情報の問合せ（３）、（４）を行い、最終的に番組２の情報を得る。この時録画再生装置２から返信される番組情報を含むベンダーユニークコマンド応答は番組１、番組２の両方の情報を含んでいてもよい。ベンダーユニークコマンドを定義する際に可変長の応答を定義しておけば、応答の中に1組の番組情報を含む場合、2組以上の番組情報を含む場合など様々な場合に対応できる。
【００５５】
録画再生制御装置４のコントローラ４１は、表示部１８によってユーザーにどちらの番組情報を保存するか選択させ、ユーザーが選択した方の番組情報を最終的に録画再生装置２の番組情報格納部２３に書き込む。
【００５６】
なお、上記の実施の形態１、２においてデジタル放送受信機１はデジタルチューナー１１を有しているが、必ずしもこの構成に限るものではない。例えばデジタルチューナー１１を有しないが、デジタルストリームを出力可能なデジタルテープレコーダー（D-VHS）やハードディスクや光ディスクを内蔵した機器であってもよく、その場合でもデジタルインターフェース３１を介してデジタルストリームを伝送するのであれば同様の動作が可能である。
【００５７】
さらにデジタルストリームはデジタル放送に限るものではなく、ストリームの属性（タイトル、日時等の情報）をデジタルストリーム中にある規定に従って含んでいるようなものであればよく、例えばデジタル録画可能なムービーカメラから出力されるストリームなど、同様の動作、効果が得られる。
【産業上の利用可能性】
【００５８】
以上のように，本発明の録画再生装置と、デジタルインターフェースで接続された録画再生装置の制御機能を有しない、あるいは有していても機能が不足しているデジタル放送受信機と、それとは別の録画再生制御装置によって録画再生装置の制御を行うシステムにおいて、本発明の録画再生装置がデジタル放送受信機からのデジタルストリームの解析を行い番組情報を取得し録画再生制御装置からの問合せに応じて伝達することで、録画中の番組情報を録画再生装置に保存することが可能となる。これによってユーザーは再生時に録画済番組リスト一覧をそれぞれの番組タイトル等の番組情報を含んだ状態で確認することができ利便性が著しく向上するため有用である。
【００５９】
また、録画再生装置が番組情報を取得、伝達することにより録画再生制御装置が録画中の番組が終了するタイミングで自動的に録画を停止させる等の動作制御も可能となり、ユーザーの利便性を向上させるという効果も有する。
【００６０】
さらに、録画再生装置が複数の番組を連続して録画する際に、番組切替りに応じて番組情報の再取得を行いその結果を伝達する機能を有することにより、録画再生制御装置がユーザーに番組情報を選択させる等の機能実現が可能となり、よりユーザーの意図を反映した番組リスト表示が可能となり利便性が向上する。
【図面の簡単な説明】
【００６１】
【図１】本発明の実施の形態１及び実施の形態２におけるシステム説明図
【図２】本発明の実施の形態１における番組情報取得タイミング図
【図３】本発明の実施の形態１における番組情報格納部２３の概略説明図
【図４】本発明の実施の形態２における番組情報取得タイミング図
【図５】従来の技術におけるシステム説明図
【図６】従来の技術を改善したシステムの説明図
【符号の説明】
【００６２】
１    デジタル放送受信機
１１    デジタルチューナー
１２    DEMUX部
１３    番組情報デコード部
１４    デジタルストリーム生成・分離部
１５    コントローラ
１６    番組選択部
２    録画再生装置
２１    デジタルストリーム録再制御部
２２    デジタルストリーム記録部
２３    番組情報格納部
２４    番組情報取得部
２５    番組情報伝達部
３１、３２    デジタルインターフェース
４    録画再生制御装置
４１    コントローラ
【図１】
2009060506.tif 000003
【図２】
2009060506.tif 000004
【図３】
2009060506.tif 000005
【図４】
2009060506.tif 000006
【図５】
2009060506.tif 000007
【図６】
2009060506.tif 000008